(57)【要約】【課題】特に固定効果に優れて加工品質を向上するためのワーク保持装置を提供する。【解決手段】本発明に係るワーク保持装置は、本体と、ホルダと、クリップと、カバーを有し、前記本体は、環装穴と、貫通穴と、収容空間と、複数の第一弧状凹部を備え、前記ホルダは、収容空間に配置するように環装穴に設置され、前記第一弧状凹部に対応する箇所にそれぞれ挿設凹部が形成され、前記各挿設凹部に、第一弧状凹部の内壁に当接する、回転可能なローラーが設置され、前記クリップは、本体の収容空間及びホルダの内部に設置され、複数の挟持部材を備え、前記各挟持部材は、弧状のブロックであり、外周面に複数の第二弧状凹部が連続凹設され、前記第二弧状凹部と第一弧状凹部との間に、前記ホルダのローラーが回転且つ移動可能に取り付けられ、前記カバーは、ホルダ及びクリップを収容してカバーするように本体に組み合わされ、この構成によれば、切削工具などのワークを保持して固定することができる。【選択図】図１
2019118996.tif 000002
【特許請求の範囲】
【請求項１】
本体と、ホルダと、クリップと、カバーを有し、
前記本体は、環装穴と、貫通穴と、収容空間と、複数の第一弧状凹部を備え、前記環装穴は、本体の上面に凹設され、前記貫通穴は、環装穴と一直線に対応して連通するように、本体の底面に凹設され、前記収容空間は、貫通穴と連通するように、環装穴の内部に形成され、前記複数の第一弧状凹部はそれぞれ、環装穴の内周面に波形環状で連続凹設され、
前記ホルダは、本体の収容空間に配置するように環装穴に設置され、前記ホルダにおける第一弧状凹部に対応する箇所にそれぞれ、挿設凹部が形成され、前記各挿設凹部は、ホルダの周縁上面から凹設され、前記各挿設凹部に、第一弧状凹部の内壁に当接する、回転可能なローラーが設置され、
前記クリップは、本体の収容空間及びホルダの内部に設置され、複数の挟持部材を備え、前記各挟持部材は、弧状のブロックであり、外周面に複数の第二弧状凹部が連続凹設され、前記第二弧状凹部と第一弧状凹部との間に、前記ホルダのローラーが回転且つ移動可能に取り付けられ、
前記カバーは、ホルダ及びクリップを収容してカバーするように、底面を介して本体とホルダと複数の挟持部材に当接すると共に、本体に組み合わされることを特徴とするワーク保持装置。
【請求項２】
前記本体の底面に、収容空間と連通する複数の収容穴が凹設され、それらの収容穴は、貫通穴の周囲に環状に配置され、
前記各挟持部材の底部における収容穴に対応する箇所に、複数の案内穴がそれぞれ間隔をおいて環状に配列するように径方向に凹設され、前記クリップにおける案内穴と本体との間に、複数のボールが取り付けられ、そのうち、ボールは、回転可能に対応する案内穴と収容穴との間に取り付けらることにより、前記各挟持部材が本体に対して移動かつ回転可能となることを特徴とする請求項１に記載のワーク保持装置。
【請求項３】
前記本体の複数の収容穴は、それぞれ間隔をおいて貫通穴の周囲且つ同心環状に配列され、
前記クリップの複数の案内穴は、本体における同心環状に配列すると共に、同一の径方向に位置する２つの収容穴に対応するように形成され、前記２つの収容穴にそれぞれボールが設置されることを特徴とする請求項２に記載のワーク保持装置。
【請求項４】
前記挟持部材の内周面の底部に内突縁が延設され、前記内突縁の上面に組立溝部が凹設され、前記複数の挟持部材が組み合わされることにより、前記複数の組立溝部が連通する環状形態となり、前記複数の組立溝部に、Ｏリングが嵌合され、前記Ｏリングにより複数の挟持部材を本体１０の収容空間固定して位置決めることを特徴とする請求項１乃至３の何れか１項に記載のワーク保持装置。
【請求項５】
前記本体の上面に、複数の固定穴が間隔をおいて凹設され、
前記カバーにおける固定穴に対応する箇所にそれぞれ結合穴が形成され、前記結合穴及び固定穴に固定ユニットが挿設され、前記カバーが本体に固定されると共に、ホルダ及びクリップが本体とカバーとの間に収容されることを特徴とする請求項４に記載のワーク保持装置。
【請求項６】
前記ホルダにおける挿設凹部の両側の壁にそれぞれ弧面が凹設され、前記ローラーは、挿設凹部に脱出しないように取り付けられることを特徴とする請求項５に記載のワーク保持装置。
【請求項７】
切削工具を固定するために、切削工具ホルダ５０を有し、前記切削工具ホルダ５０に組み合わされることを特徴とする請求項６に記載のワーク保持装置。
【請求項８】
レンチまたはクリップとして、ナットやボルトなどの固定ユニットを締め付けたり緩んだりするために、グリップを有し、前記グリップの一端は、本体の外周面に固定されることを特徴とする請求項６に記載のワーク保持装置。
【請求項９】
切削工具を固定するために、切削工具ホルダを有し、前記切削工具ホルダに組み合わされることを特徴とする請求項１乃至３の何れか１項に記載のワーク保持装置。
【請求項１０】
レンチまたはクリップとして、ナットやボルトなどの固定ユニットを締め付けたり緩んだりするために、グリップを有し、前記グリップの一端は、本体の外周面に固定されることを特徴とする請求項１乃至３の何れか１項に記載のワーク保持装置。
【発明の詳細な説明】
【技術分野】
【０００１】
本発明は、特に固定効果に優れて加工品質を向上するためのワーク保持装置に関するものである。
【背景技術】
【０００２】
既存のワーク保持装置は、被固定物を締め付けたり緩んだりして固定効果を提供するものであり、係合構造または接触構造などの手段で切削工具や、ボルト、ナットなどの道具を固定することができる。
【０００３】
既存のワーク保持装置は、切削工具の固定構造またはレンチなどの様々なタイプを有し、そのうち、切削工具の固定構造は、カッタホルダと、ローラホルダと、蓋部材を備え、前記カッタホルダは、ボルトにより切削工具の座部材に取り付けられ、切削工具のカッタを保持して固定することができ、前記カッタホルダの内面に、複数の凹部が間隔をおいて形成され、前記ローラホルダは、カッタホルダの内部に設置され、前記複数の凹部に対応する箇所にそれぞれ、切り欠き溝が形成され、前記切り欠き溝に、ローラーが回転可能に設置され、前記蓋部材は、カッタホルダに組み合わされ、前記ローラホルダは、カッタホルダと蓋部材との間に位置するように設置される。
【０００４】
既存の切削工具固定構造を使用する場合は、カッタをカッタホルダに挿入すると、前記カッタの外周面は、それらのローラーを押し付けて外部へ移動させ、それらのローラーを固定座の凹部に当接させると、それらのローラーによりカッタを止めて回転することができなくなり、カッタを固定することができる。
【先行技術文献】
【特許文献】
【０００５】
特許文献１：台湾の実用新案第Ｍ４５４２６７号
【発明の概要】
【発明が解決しようとする課題】
【０００６】
しかしながら、既存の切削工具の固定構造において、それらのローラーにおけるカッタと接触する面積は、少なくて、すなわち、線接触であることから、カッタをしっかりと保持することができないので、切削加工を行うと、カッタが不安定で切削加工を行って切削品質に劣り、改良する必要があった。
【課題を解決するための手段】
【０００７】
本発明に係るワーク保持装置は、
本体と、ホルダと、クリップと、カバーを有し、
前記本体は、環装穴と、貫通穴と、収容空間と、複数の第一弧状凹部を備え、前記環装穴は、本体の上面に凹設され、前記貫通穴は、環装穴と一直線に対応して連通するように、本体の底面に凹設され、前記収容空間は、貫通穴と連通するように、環装穴の内部に形成され、前記複数の第一弧状凹部はそれぞれ、環装穴の内周面に波形環状で連続凹設され、
前記ホルダは、本体の収容空間に配置するように環装穴に設置され、前記ホルダにおける第一弧状凹部に対応する箇所にそれぞれ、挿設凹部が形成され、前記各挿設凹部は、ホルダの周縁上面から凹設され、前記各挿設凹部に、第一弧状凹部の内壁に当接する、回転可能なローラーが設置され、
前記クリップは、本体の収容空間及びホルダの内部に設置され、複数の挟持部材を備え、前記各挟持部材は、弧状のブロックであり、外周面に複数の第二弧状凹部が連続凹設され、前記第二弧状凹部と第一弧状凹部との間に、前記ホルダのローラーが回転且つ移動可能に取り付けられ、
前記カバーは、ホルダ及びクリップを収容してカバーするように、底面を介して本体とホルダと複数の挟持部材に当接すると共に、本体に組み合わされるものである。
【０００８】
かかるワーク保持装置において、
前記本体の底面に、収容空間と連通する複数の収容穴が凹設され、それらの収容穴は、貫通穴の周囲に環状に配置され、
前記各挟持部材の底部における収容穴に対応する箇所に、複数の案内穴がそれぞれ間隔をおいて環状に配列するように径方向に凹設され、前記クリップにおける案内穴と本体との間に、複数のボールが取り付けられ、そのうち、ボールは、回転可能に対応する案内穴と収容穴との間に取り付けらることにより、前記各挟持部材が本体に対して移動かつ回転可能となることが好ましい。
【０００９】
かかるワーク保持装置において、
前記本体の複数の収容穴は、それぞれ間隔をおいて貫通穴の周囲且つ同心環状に配列され、
前記クリップの複数の案内穴は、本体における同心環状に配列すると共に、同一の径方向に位置する２つの収容穴に対応するように形成され、前記２つの収容穴にそれぞれボールが設置されるが好ましい。
【００１０】
かかるワーク保持装置において、
前記挟持部材の内周面の底部に内突縁が延設され、前記内突縁の上面に組立溝部が凹設され、前記複数の挟持部材が組み合わされることにより、前記複数の組立溝部が連通する環状形態となり、前記複数の組立溝部に、Ｏリングが嵌合され、前記Ｏリングにより複数の挟持部材を本体１０の収容空間固定して位置決めるが好ましい。
【００１１】
かかるワーク保持装置において、
前記本体の上面に、複数の固定穴が間隔をおいて凹設され、
前記カバーにおける固定穴に対応する箇所にそれぞれ結合穴が形成され、前記結合穴及び固定穴に固定ユニットが挿設され、前記カバーが本体に固定されると共に、ホルダ及びクリップが本体とカバーとの間に収容されるが好ましい。
【００１２】
かかるワーク保持装置において、
前記ホルダにおける挿設凹部の両側の壁にそれぞれ弧面が凹設され、前記ローラーは、挿設凹部に脱出しないように取り付けられるが好ましい。
【００１３】
かかるワーク保持装置において、
切削工具を固定するために、切削工具ホルダ５０を有し、前記切削工具ホルダ５０に組み合わされるが好ましい。
【００１４】
かかるワーク保持装置において、
レンチまたはクリップとして、ナットやボルトなどの固定ユニットを締め付けたり緩んだりするために、グリップを有し、前記グリップの一端は、本体の外周面に固定されるが好ましい。
【発明の効果】
【００１５】
本発明に係るワーク保持装置は、主に被固定物が複数の挟持部材に面接触することにより、当該被固定物と挟持部材との接触する面積を大幅に増加して摩擦力も大きくすると共に、それぞれのローラーが対応する第一弧状凹部と第二弧状凹部との間に挟まれると、挟持部材を位置決めて本体に対して回転及び移動することができなくなることから、当該被固定物を保持固定することができる。
【００１６】
本発明に係るワーク保持装置を使用する場合は、収容穴及び組立溝部にボールが設置されることから、挟持部材がスムーズに本体に対して移動及び回転することができる。一方、本発明に係るワーク保持装置を用いて、切削工具などの道具を固定するために、切削工具ホルダに組み合わされてもよく、ナットやボルトなどの固定ユニットを締め付けたり緩んだりするためのレンチまたはクリップとするために、グリップに組み合わされてもよい。
【図面の簡単な説明】
【００１７】
【図１】本発明に係るワーク保持装置の斜視図である。
【図２】本発明に係るワーク保持装置の分解斜視図である。
【図３】本発明に係るワーク保持装置の他の部分斜視図である。
【図４】本発明に係るワーク保持装置の側面視断面図である。
【図５】本発明に係るワーク保持装置の正面断面図である。
【図６】本発明に係るワーク保持装置において、操作状態を示す正面断面図である。
【図７】本発明に係るワーク保持装置を切削工具ホルダに組み合せた状態を示す斜視図である。
【図８】本発明に係るワーク保持装置において、ナットやボルトなどの固定ユニットを締め付けたり緩んだりするためのレンチまたはクリップである斜視図である。
【発明を実施するための形態】
【００１８】
図１乃至図４に示すように、本発明に係るワーク保持装置は、本体１０と、ホルダ２０と、クリップ３０と、カバー４０を有する。
【００１９】
前記本体１０は、環状の座部であり、環装穴１１と、貫通穴１２と、収容空間１３と、複数の第一弧状凹部１４と、複数の収容穴１５と、複数の固定穴１６を備え、前記環装穴１１は、本体１０の上面に凹設され、前記貫通穴１２は、環装穴１１と一直線に対応して連通するように、本体１０の底面に凹設され、そのうち、環装穴１１の内径は、貫通穴１２の内径よりも大きい設定となり、前記収容空間１３は、貫通穴１２と連通するように、環装穴１１の内部に形成され、前記複数の第一弧状凹部１４はそれぞれ、環装穴１１の内周縁を連続波状となるように、当該環装穴１１の内周面に連続凹設される。
【００２０】
前記複数の収容穴１５は、収容空間１３と連通するように、本体１０の底面に凹設され、前記各収容穴１５は、弧状且つ長型の溝部を呈するように、貫通穴１２の周囲に環状に配置される。本実施例における本体１０の複数の収容穴１５は、それぞれ間隔をおいて貫通穴１２の周囲且つ２輪の同心環状に配列され、前記複数の固定穴１６は、間隔をおいて本体１０の上面に凹設される。
【００２１】
前記ホルダ２０は、リング状を呈し、本体１０の収容空間１３に配置するように環装穴１１に設置され、前記ホルダ２０における第一弧状凹部１４に対応する箇所にそれぞれ、挿設凹部２１が形成され、前記各挿設凹部２１は、ホルダ２０の周縁上面から凹設され、本実施例におけるホルダ２０は、図２に示すように、挿設凹部２１の両側の壁にそれぞれ湾曲状に凹設され、前記各挿設凹部２１に、第一弧状凹部１４の内壁に当接する、回転可能なローラー２２が設置される。
【００２２】
前記クリップ３０は、本体１０の収容空間１３及びホルダ２０の内部に設置され、複数の間隔をおいて環状に配置する挟持部材３１からなり、本実施例におけるクリップ３０は、３つの挟持部材３１を備えることが好ましく、前記各挟持部材３１は、弧状のブロックであり、外周面に複数の第二弧状凹部３１１が連続凹設され、前記第二弧状凹部３１１と第一弧状凹部１４との間に、前記ホルダ２０のローラー２２が回転且つ移動可能に取り付けられ、前記挟持部材３１の内周面の底部に内突縁が延設され、前記内突縁の上面に組立溝部３１２が凹設され、前記複数の挟持部材３１が組み合わされることにより、前記複数の組立溝部３１２が互いに連通する環状形態となる。
【００２３】
図２及び図３に示すように、前記各挟持部材３１の底部における収容穴１５に対応する箇所に、複数の案内穴３１３がそれぞれ間隔をおいて環状に配列するように径方向に凹設され、前記クリップ３０における案内穴３１３と本体１０との間に、複数のボール３２が取り付けられ、そのうち、ボール３２は、回転可能に対応する案内穴３１３と収容穴１５との間に取り付けらることにより、前記各挟持部材３１が本体１０に対して移動かつ回転可能となる。前記クリップ３０の複数の案内穴３１３は、本体１０における同心環状に配列すると共に、同一の径方向に位置する２つの収容穴１５に対応するように形成され、前記２つの収容穴１５にそれぞれボール３２が設置される。前記クリップ３０における複数の挟持部材３１の組立溝部３１２に、Ｏリング３３が嵌合され、前記Ｏリング３３により複数の挟持部材３１を本体１０の収容空間１３固定して位置決めることが好ましい。
【００２４】
前記カバー４０は、ホルダ２０及びクリップ３０を収容してカバーするように本体１０に組み合わされ、図２に示すように、前記カバー４０の底面は、本体１０と、ホルダ２０と、複数のローラー２２と、複数の挟持部材３１に当接される。前記カバー４０における固定穴１６に対応する箇所にそれぞれ結合穴４１が形成され、前記結合穴４１及び固定穴１６に固定ユニット４２が挿設され、前記カバー４０が本体１０に固定されると共に、ホルダ２０及びクリップ３０が本体１０とカバー４０との間に収容される。
【００２５】
図５及び図６に示すように、本発明に係るワーク保持装置を用いて切削工具などの被固定物を保持する場合は、前記被固定物は、環装穴１１から収容空間１３を通過して貫通穴１２に突出するように本体１０に組み合わされ、前記クリップ３０の挟持部材３１は、弧状のブロックであることから、前記被固定物の表面がそれぞれの挟持部材３１の内面に当接されることにより、大幅の面接触で十分な摩擦力を提供することができる。前記被固定物は、本体１０に対して回転すれば、前記被固定物と当接している挟持部材３１も回転するため、前記第二弧状凹部３１１と接触するローラー２２も本体１０に対して回転しながら第一弧状凹部１４に対して移動し、前記ローラー２２は、第一弧状凹部１４と第二弧状凹部３１１との最小距離までに移動すると、当該ローラー２２が第一弧状凹部１４の内壁及び第二弧状凹部３１１の外壁により挟まれて本体１０に対して回転及び移動することができなくなり、これによれば、前記挟持部材３１を位置決めて本体１０に対して回転及び移動することができなくなり、前記被固定物を強固に本発明のワーク保持装置に保持固定することができる。
【００２６】
上述したように、本発明に係るワーク保持装置は、主に被固定物が複数の挟持部材３１に面接触することにより、当該被固定物と挟持部材３１との接触する面積を大幅に増加して摩擦力も大きくすると共に、それぞれのローラー２２が対応する第一弧状凹部１４と第二弧状凹部３１１との間に移動または回転してそれらの最小距離に挟まれると、挟持部材３１を位置決めて本体１０に対して回転及び移動することができなくなることから、当該被固定物を保持固定することができる。
【００２７】
本発明に係るワーク保持装置を使用する場合は、収容穴１５及び組立溝部３１２にボール３２が設置されることから、挟持部材３１がスムーズに本体１０に対して移動及び回転することができる。
【００２８】
図７に示すように、本発明に係るワーク保持装置を用いて切削工具ホルダ５０に組み合わされ、前記切削工具ホルダ５０は、ベース５１と、２本のスタンド５２と、連接部５３とを備え、前記２本のスタンド５２は、間隔をおいて直立状態でベース５１の上面に設置され、前記連接部５３は、ベース５１の上方及び２本のスタンド５２の間に位置するように、当該２本のスタンド５２に連接される。この構成によれば、切削工具などの道具（図に示せず）を固定することができる。
【００２９】
さらに、図８に示すように、本発明に係るワーク保持装置を用いてグリップ６０に組み合わされ、前記グリップ６０の一端は、本体１０の外周面に固定され、これによれば、前記ワーク保持装置を用いてナットやボルトなどの固定ユニットを締め付けたり緩んだりするためのレンチまたはクリップとすることができる。
【符号の説明】
【００３０】
１０  本体
１１  環装穴
１２  貫通穴
１３  収容空間
１４  第一弧状凹部
１５  収容穴
１６  固定穴
２０  ホルダ
２１  挿設凹部
２２  ローラー
３０  クリップ
３１  挟持部材
３１１  第二弧状凹部
３１２  組立溝部
３１３  案内穴
３２  ボール
３３  Ｏリング
４０  カバー
４１  結合穴
４２  固定ユニット
５０  切削工具ホルダ
５１  ベース
５２  スタンド
５３  連接部
６０  グリップ
【図１】
2019118996.tif 000003
【図２】
2019118996.tif 000004
【図３】
2019118996.tif 000005
【図４】
2019118996.tif 000006
【図５】
2019118996.tif 000007
【図６】
2019118996.tif 000008
【図７】
2019118996.tif 000009
【図８】
2019118996.tif 000010